Podtech/llm-jp-corpus-v4-ja_patent huggingface dataset:
(57)【要約】【課題】  スポンジ等を使って体を洗う場合の、スポンジ等を単体で使う際の不都合と柄付きのスポンジ等を使う際の不都合とをどちらの不都合をも解消する。【解決手段】  補助器具（２）の柄（３）の反対側の先端部の平らな場所に先端が球形状のストッパーが付いた軸（４）を取り付け、それをスポンジ等の固定用とする。そこに、球形状の径（Ｃ）より小さく、尚且つ軸径（Ａ）より大き目の穴（Ｂ）を明けたスポンジ等（１）を着脱させて使用する事によりこの課題を解決する。【選択図】図１
0003135075.tif 000002
【実用新案登録請求の範囲】
【請求項１】
固定用の穴を開けた体洗い用のスポンジ等（１）を装着して使う体洗い補助器具（２）。
体洗い用のスポンジ等（１）を固定する為に、先端部に球形状のストッパーが付いた軸（４）を柄（３）の反対側の先端の平らな場所に取り付けた。
【考案の詳細な説明】
【技術分野】
【０００１】  本考案は、固定用の穴を開けた体洗い用のスポンジ等を装着して使う体洗い補助器具に関するものである。
【背景技術】
【０００２】  従来、スポンジ等で体を洗う場合、体洗い用のスポンジ等は単体で使用するかスポンジ等に柄が固定されている物があった。
【考案の開示】
【考案が解決しようとする課題】
【０００３】  これは次の様な問題点があった。
スポンジ等を単体で使用する場合、体の硬い人は背中が洗い難い。
又、スポンジ等に柄が固定されている場合、体の前面を洗う時に柄が邪魔である。
【課題を解決するための手段】
【０００４】  そこで、柄の反対側の先端部に平らな場所を作り、そこに球形状のストッパー付きの軸を取り付ける事により、スポンジ等と補助器具とが容易に着脱出来る様に考案した。
【考案の効果】
【０００５】  スポンジ等を固定する為の軸径をスポンジ等の穴径よりも小さく、尚且つ先端の球形状の径をスポンジ等の穴径よりも大きく設定した為、容易に着脱出来、しかも脱落し難い。
また、軸の先端が球形状なので、万が一からだに触れたとしてもそれほど不快に感じる事は無い。
【考案を実施するための最良の形態】
【０００６】  本考案は浴室など、多湿の状況下で使用される事が予想される為、抗菌作用、水に対する防腐食性の強い材質が望ましい。
スポンジ等を固定する為の軸の長さは、補助器具の柄の、手で持つ方寄りに力が掛かるので先端部から柄に向かって少しづつ短くなる様にすると体にフィットし易い。
または、柄自体が湾曲していても体にフィットし易い。
【図面の簡単な説明】
【０００７】
【図１】  本考案の斜視図である。
【図２】  本考案の断面図である。
【符号の説明】
【０００８】      １          スポンジ等
２          補助器具
３          柄
４          軸
Ａ          軸径
Ｂ          穴径
Ｃ          球形径
Ｄａ−Ｄｂ  スポンジ等の断面
Ｅａ−Ｅｂ  補助器具の断面
【図１】
0003135075.tif 000003
【図２】
0003135075.tif 000004
【手続補正書】
【提出日】平成19年6月7日(2007.6.7)
【手続補正１】
【補正対象書類名】実用新案登録請求の範囲
【補正対象項目名】請求項１
【補正方法】変更
【補正の内容】
【請求項１】
固定用の穴を開けた体洗い用のスポンジ等（１）を装着して使う為に、先端部に球形状のストッパーが付いた軸（４）を
柄（３）の反対側の先端の平らな場所に取付けた体洗い補助器具（２）。
(57)【要約】      （修正有）【課題】経費がかからず、かんたんにポリ袋を三角コーナーの代用品に変えることができる道具を提供する。【解決手段】合わせ式の二枚の板１、２の一端側をちょうつがい５で連結し、開閉自在とする。一方側の板１の内面に、クギ状の突起３を多数設ける。他方側の板２の内面におけるクギ状の突起３と一致する位置に、各クギ状の突起３の入り込む穴４を設ける。これにより、クギ状の突起３によって、ポリ袋に多数の小穴があき、ポリ袋に入れた生ゴミに含まれる水分を出すことができる。【選択図】図１
0003135080.tif 000002
【実用新案登録請求の範囲】
【請求項１】
合わせ式の二枚の一方側の板の内面に、クギ状の突起を多数設けると共に、他方側の板の内面における前記クギ状の突起と一致する位置に、該クギ状の突起の入り込む穴を設けてなるポリ袋に穴をあける道具。
【請求項２】
合わせ式の二枚の板の一端側をちょうつがいで連結し、開閉自在としてなる請求項１記載のポリ袋に穴をあける道具。
【考案の詳細な説明】
【技術分野】
【０００１】本考案は、台所で出る生ゴミを入れて、水を切るためのポリ袋に穴をあける道具に係わる。
【背景技術】
【０００２】生ゴミは、流し台内にセットした三角コーナーに入れて水を切る。しかし、この三角コーナーは店舗で買わなければならないし、それなりに、購入費用がかかる。
【考案の開示】
【考案が解決しようとする課題】
【０００３】本考案は、上記の点に鑑みなされたものであって、スーパー等で無料で貰えるポリ袋を、使ってこれを自分で簡単に、三角コーナーと同様の作用を有するものに変えることができるようにした道具を提供しようとするものである。
【課題を解決するための手段】
【０００４】本考案の要旨とするところは、「請求項の文方」にある。【０００５】また、上記構成において「請求項のカッコ部分」もよい。
【考案の効果】
【０００６】本考案は、上記の如き構成であるから、経費がかからず、簡単にポリ袋を三角コーナーの代用品に変えることができ、べんりである。
【実施例】
【０００７】以下、本票案の実施例について説明する。
上段の板にクギ状の形を２４０本、下段の板は、その同数だけ分の穴があり、上下を合わせて使う。
合わせ式の板１、２を、その一端側を、ちょうつがい５で連結して、開閉自在とし、一方側の板１の内面に、クギ状の突起３、３、３、…を多数設けると共に、他側の板２の内面における前記クギ状の突起３、３、３…と一致する位置に、ガイクギ状の突起３、３、３が入り込む穴４、４、４…を設けてなるものである。
また板１、２、の材料としては、プラスチックを用いることが望ましく、場合によっては、木材でもよい。
【図面の簡単な説明】
【０００８】本実施例は、二枚の板１、２の間にポリ袋（図示せず）を入れて、これら２枚の板１、２を閉じて合わせるものである。これにより、クギ状の突起３、３、３…によって、ポリ袋に多数の小穴があき、ポリ袋に入れた生ゴミに含まれる水分を出すことができるものである。
【図１】本考案の斜視図である。
【図２】本考案の使用状態を示す断面図である。
【図３】本考案の二枚の板を開いた状態の平面図である。
【符号の説明】
【０００９】１  板
２  板
３  クギ状の突起
４  穴
５  ちょうつがい
【図１】
0003135080.tif 000003
【図２】
0003135080.tif 000004
【図３】
0003135080.tif 000005
(57)【要約】      （修正有）【課題】豚肉という健康志向を取り入れた豚肉生姜焼をベースとするライト感覚の豚丼（トン丼）の提供。【解決手段】ご飯２を丼などの容器にご飯を盛ると同時に、ご飯２の中央を軽く窪ませ、そこに生卵黄３を乗せる。豚薄切り肉、醤油、生姜、ニンニク、日本酒等によって炒めた豚肉生姜焼４を生卵黄３を避けてご飯２の上に放射状に配置する。豚肉生姜焼４の上に、練りからし５を少量乗せ、きざみ長葱６を散らす。最後に、豚肉を炒めた時の肉汁又は醤油７を少量を垂らす。【選択図】図１
0003135076.tif 000002
【実用新案登録請求の範囲】
【請求項１】
丼などの容器にご飯を盛り、中央を軽く窪ませたところに生卵黄を乗せ、その上に豚生姜焼を複数枚並べた上にきざみ長葱、練りからしをトッピングし適宜醤油等の調味料を振りかけることを特長とする豚肉生姜焼丼（トン丼）。
【考案の詳細な説明】
【技術分野】
【０００１】  本考案は、丼などの容器に盛ったご飯の上に豚肉生姜焼を複数枚並べた丼ご飯に関するものである。
【背景技術】
【０００２】  これまで肉を使った丼物のメニューには、牛丼、カツ丼などがあったが、比較的安価な豚肉を使って肉を食べたという満足感を得られるものは少なかった。又、豚肉生姜焼は、豚肉を使った定食の定番メニューであるにもかかわらず、手軽さの面から丼物を中心とするファストフード店での取り扱いは少なかった。さらに、豚の角煮などでも明らかなように豚肉と練りからしのマッチングは絶妙であるにもかかわらず、これらを組み合わせた豚肉レシピも考案されてはいなかった。
【考案の開示】
【考案が解消しようとする課題】
【０００３】  本考案における課題は、上記のような欠点をなくし、ご飯と豚肉生姜焼とこれを引き立てる生卵及び調味料とによって、豚肉という健康志向を取り入れたライト感覚の丼レシピを提供しようとするものである。
【課題を解決するための手段】
【０００４】  請求項１記載の考案は、丼などの容器にご飯を盛り、中央を軽く窪ませたところに生卵黄を乗せ、その上に豚肉生姜焼を複数枚並べた上に、きざみ長葱、練りからしをトッピングし、適時醤油等の調味料を振りかけたことで作られる請求項１に記載の豚肉生姜焼丼（トン丼）である。これらの考案を提供することにより上記課題を解決する。
【考案の効果】
【０００５】  ＢＳＥなどの家畜由来の感染病が世界規模で発生するに及び、牛丼など単一の食材メニューで営業するファストフード店などは、風評被害などによる大きなダメージを受けることが懸念される。本考案は、肉というと牛肉が主流であった外食産業において、豚肉の旨さを実感してもらいリピーターになってもらえるような新しい豚肉メニューを提供しようとする考案である。
【実施例】
【０００６】  以下、本考案の実施形態を図を用いて説明する。【０００７】（イ）ご飯２を丼などの容器１に盛る
（ロ）ご飯２の中央部を軽く窪ませ、そこに生卵黄３を入れる。
（ハ）豚薄切り肉、醤油、生姜、ニンニク、日本酒等によって炒めた豚肉生姜焼４を、生卵黄３を避けてご飯の上に放射状に配置する。
（ニ）豚肉生姜焼の上に、練りからし５を少量乗せ、きざみ長葱６を散らす。
（ホ）最後に、豚肉を炒めた時の肉汁または醤油７を少量垂らす。
【図面の簡単な説明】
【０００８】
【図１】豚肉生姜焼丼（トン丼）の即断面構成図。
【図１】
0003135076.tif 000003
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
丼などの容器にご飯を盛り、中央を軽く窪ませたところに生卵黄を乗せ、その上に豚生姜焼を複数枚並べた上にきざみ長葱、練りからしをトッピングし適宜醤油等の調味料を振りかけることを特長とする豚丼（トン丼）。
(57)【要約】      （修正有） 【課題】電気湯たんぽには電気分解の技術を利用し、水、又は、水に塩などの不純物を入れ、その液体に交流電圧をかけ、液体を発熱体として、温度上昇をさせる。あるいは、ヒーターを用いて温度上昇をさせております。いずれの技術を用いても、電気湯たんぽを繰り返し、何度も使用すると、電気湯たんぽは膨張します。水を変色させることなく、液体中に電圧を発生させることなく、安全に、短時間に温度上昇をさせ、電気湯たんぽが膨張した時、電気湯たんぽを破裂させない破裂防止装置を内蔵した電気湯たんぽを提供する。【解決手段】電気湯たんぽに、リレー７、磁石８、温度ヒューズ５を組み込むことである。それらの回路が、電気湯たんぽ破裂防止機能である。【選択図】図１
0003135020.tif 000002
【実用新案登録請求の範囲】
【請求項１】
湯たんぽの上面にリレースイッチを、下側に取り付けたプラスチック上部に磁石を設置し、湯たんぽが異常に脹らんだとき、上下の接合が離れ、電源がオフとなり、また、過度な温度上昇に対しては温度ヒューズが切断される装置を持った電気湯たんぽ。
【請求項２】
電気湯たんぽが脹らみ、リレースイッチが働き電源がオフとなった時には、水注入口を用いて、気体を抜き、リレーを復帰できる請求項１の電気湯たんぽ。
【考案の詳細な説明】
【技術分野】
【０００１】
本考案は、電気湯たんぽ内にリレースイッチ、温度ヒューズを取り付け、電気湯たんぽが膨張時に電源を切断する装置に関するものである。
【背景技術】
【０００２】
電気湯たんぽは、水、あるいは、水に塩などの不純物を入れた液体に交流電圧を印加し、電気分解の技術、或いはヒーターで温度上昇をさせており、電気湯たんぽが膨らみ続ける。
【０００３】
その改善策として、リレースイッチ、温度ヒューズを用いて電源を切断する。
【特許文献１】実願２００６−００４６０９
【考案の開示】
【考案が解決しようとする課題】
【０００４】
本考案は、電気湯たんぽ膨張時に破裂をなくすことが課題です。
【課題を解決するための手段】
【０００５】
本考案は上述の課題を解決する為に、リレースイッチ、温度ヒューズを電気湯たんぽ内に組み込み、膨張時に電源を切断する装置を提供するものである。
【考案の効果】
【０００６】
通電中に湯たんぽが脹らんだとしても、リレーが働き、電気湯たんぽが裂けることはなく、万一、リレーが動作しなかったとしても温度ヒューズが遮断され、安全である。
【考案を実施するための最良の形態】
【０００７】
電源ラインにリレースイッチ、温度ヒューズを組み込むことです。
【実施例】
【０００８】
図１、図２を用い、本湯たんぽ破裂防止装置を説明します。
電気湯たんぽは電源コード１、湯たんぽ３で構成されており、湯たんぽの構造は電源ソケット２、バイメタルなどのサーモスタット４、温度ヒューズ５、ＬＥＤなどの表示器６、リレースイッチ７、磁石８、ヒーター９で形成されております。通電を繰り返し行なうことで、湯たんぽが膨張し、破裂する可能性もあり、その防止目的の為に、リレースイッチ７と磁石８が取り付けられております。その動作は、通常状態では、図２電気湯たんぽ３内の上部にリレースイッチ７が、下部にはプラスチック１１が取り付けられ、上下接合し、リレースイッチ７が通電状態です。しかし、電気湯たんぽが膨張１２すると磁石８とリレースイッチ７が離れ、電源が切断され、電気湯たんぽの破裂は防止されます。更に、過度な温度上昇に対しては、温度ヒューズ５が切断されます。
【産業上の利用可能性】
【０００９】
本考案は安全、安心な電気湯たんぽとして使用できる。
【図面の簡単な説明】
【００１０】
【図１】電気湯たんぽ配線図
【図２】電気湯たんぽ膨張前後図
【符号の説明】
【００１１】
１  電源コード、プラグ
２  電源ソケット
３  電気湯たんぽ
４  バイメタルなどのサーモスタット
５  温度ヒューズ
６  ＬＥＤなどの表示器
７  リレースイッチ
８  磁石
９  ヒーター
１０  水
１１  上部に磁石が組み込まれ、電気湯たんぽ下部に貼り付けられたプラスチック
１２  膨張後の電気湯たんぽ
【図１】
0003135020.tif 000003
【図２】
0003135020.tif 000004
(57)【要約】      （修正有）【課題】絞り袋の間口を広げておくのが難しいという問題を解決する絞り袋ホルダースタンド調理に頻繁に使う大さじ１半、大さじ１〜５を一回で計量でき、小皿としても使える皿状の計量スプーン、さらにそれらを組み合わせることで調理中の便宜を図るスタンドを提供する。【解決方法】絞り袋のスタンドホルダーの上輪に絞り袋を広げ留めおき、簡単に絞り袋に物を入れられるようにする。ナプキンのスタンド、マヨネーズやケチャップが残り少なくなった時に逆さまに立てかけるスタンドなどにも多様に活用する。皿状の計量スプーンとともに、調理中  お玉を置くスペース、水切りなどに活用する。計量スプーンは大さじ１半、大さじ１〜５の目盛り付きで大さじ５まで一回で計ることができ、また皿状なので調理中小皿としても使える。【選択図】図１
0003135062.tif 000002
【実用新案登録請求の範囲】
【請求項１】
絞り袋を広げて留めておけるホルダースタンド。
【請求項２】
大さじ１半、大さじ１〜５を一回で計れる計量スプーン。
また、小皿としても使える皿状である特徴をもつ計量スプーンである。
【請求項３】
皿状計量スプーン付き調理中の便宜を図るスタンド。
【考案の詳細な説明】
【技術分野】
【０００１】絞り袋の入り口を広げ留めておくホルダー、及び皿状の計量スプーン
ホルダー、皿状計量スプーンそれぞれ多様性を持たせる工夫をし、さらに組み合わせることで、調理中の便宜を図るスタンドである。
【背景技術】
【０００２】絞り袋のホルダースタンドは見当たらない。
計量スプーン、お玉を置くスタンドなど、調理器具を個々に追求している物が多い
【考案の開示】
【考案が解決しようとする課題】
【０００３】（イ）絞り袋を広げておくのが難しいので、上手く入れられないなどの問題がある。
（ロ）料理に頻繁に使う大さじ３〜５を大さじ１のスプーンで計るうち何杯入れたか忘れることがある。
大さじ１半を計るのが面倒である。
（ハ）調理中、お玉などを置く、味見をする、薬味を入れておくなどの小皿が必要。
調理中、調理器具で乱雑になる。
【課題を解決する手段】
【０００４】（イ）絞り袋のホルダースタンドの上輪で間口を広げ固定することで手も汚さずに簡単に絞り袋に物を入れることができる。
（ロ）計量スプーンは、調理中頻繁に使う大さじ１半、大さじ１〜５までを一回で簡単に計量出来るようにする。
（ハ）スタンドホルダーの立体空間を利用すること、計量スプーンを皿状にして小皿としても使えるようにすることで調理台の整理に役立てる
【考案の効果】
【０００５】絞り袋のホルダースタンドによって、絞り袋の扱いが楽になる。
スタンドの立体空間を活用して調理中の便宜を図る。
計量スプーンは大さじ１半、大さじ１〜５までを一回で計れるようになり、さらに皿状にすることで小皿としても使えるようになる。
【考案を実施するための最良の形態】
【０００６】（イ）上輪    下輪    を持つホルダースタンド
（ロ）大さじ５まで計れる皿状の計量スプーン、小さじが取っ手のようになっている。
皿状計量スプーンの内側には大さじ１半、大さじ１〜５までの目盛りが付いており、大さじ５よりも少し余裕のある大きさになっている。
（ハ）ホルダースタンドの下輪のところに皿状計量スプーンを据える
【実施例】
【０００７】（イ）絞り袋ホルダースタンド
絞り袋を上輪に広げ間口を広げた状態に保つ。
間口は広げられていて、支えられているので、両手を使って絞り袋に物を簡単に入れることができる。
調理中、上輪にざるなどをのせ、少量の揚げ物をのせることや薬味を入れておく、水切りに使う、料理メモを乗せる、お玉を置くなど立体的に活用する方法も多く考えられる。
それ以外にも、ケチャップ、マヨネーズの残りすくない時に逆さまに立てかけるスタンドとしても、必要とされる場面は生活の中に多い。
（ロ）皿状計量スプーン
皿状の計量スプーンは調理中、小皿としても使える。
計量に使う時は、大さじ１半、大さじ１〜５を一回で計量できる
など便利である。
【図面の簡単な説明】
【０００８】
【図１】考案の斜視図
【図２】皿状計量スプーンの平面図
【符号の説明】
【０００９】１．スタンドの上輪（切れ目がある）
２．スタンドの下輪
３．皿状計量スプーン
４．小さじ
【図１】
0003135062.tif 000003
【図２】
0003135062.tif 000004
【手続補正書】
【提出日】平成19年5月17日(2007.5.17)
【手続補正１】
【補正対象書類名】実用新案登録請求の範囲
【補正対象項目名】全文
【補正方法】変更
【補正の内容】
【実用新案登録請求の範囲】
【請求項１】
絞り袋ホルダースタンドは、上下の二つの輪を有しそれを繋ぐ一本の支え、下の輪の中には皿状の計量スプーン、上の輪には支えとは逆の向きに切れ目があるホルダースタンド。
【請求項２】
（１）大さじ５まで計量でき、窪みの中心から外側に向かって１５ｃｃ（大さじ１）、３０ｃｃ（大さじ２）４５ｃｃ（大さじ３）６０ｃｃ（大さじ４）７５ｃｃ（大さじ５）の目盛りを浅い溝の線で記す他に２２．５ｃｃ（大さじ１半）の目盛りを短い線で記す。
（２）小匙が取っ手のようについている特徴を持っている。
以上の特徴を持つ絞り袋ホルダースタンドの下の輪におかれる皿状の計量スプーン。
【手続補正２】
【補正対象書類名】図面
【補正対象項目名】図２
【補正方法】変更
【補正の内容】
【図２】
0003135062.tif 000005
(57)【要約】  【課題】本考案は、ズボンハンガー部分をハンガー本体より前方に出すこと、または、分離を可能にすることにより、上着をハンガーに掛けた後でも、ズボンを架けることを容易にする。  【解決手段】  本考案は、ハンガー本体１とズボンハンガー２を分離し、ハンガー本体１のフック１aにズボンハンガー２を斜めに装着することにより、上着を架けた後でも容易にズボンを架けることが可能となる。また、ズボンハンガー２をフック１bに縦に装着することにより、幅をとらずに収納することも可能とした。  【選択図】  図２
0003135064.tif 000002
【実用新案登録請求の範囲】
【請求項１】
ハンガー本体とズボンハンガーを分離し、ハンガー本体に設けた２形状のフックにより、ズボンハンガー装着時に、ズボンハンガー部分が本体より前方に出る方式と縦に下げる方式とを選択出来るところを特徴とするスーツ用ハンガー。
【請求項２】
ズボンハンガーのフックの上部２ａを本体フック１ａの１ａ垂直部に掛け、ズボンハンガーフック２ｂ及び２ｃ部分が本体フック爪ア及び爪ウに乗るように装着することを特徴とする請求項１記載のスーツ用ハンガー。
【請求項３】
本体１ａ垂直部分の幅がズボンハンガーのフック部２ａの幅より広いため、ズボンハンガーは本体に対して斜め(約３０°から約４５°)に装着されることを特徴とする１又は２記載のスーツ用ハンガー。
【請求項４】
ズボンハンガーフックの上部水平部２ａを本体フック１ｂの水平部に乗せ、本体１ａフック部下の爪ア及び爪イ、又は爪イ及び爪ウの間にズボンハンガーの首の部分２ｄを入れることにより、ズボンハンガーが縦に半固定されることを特徴とする請求項１から３までのいずれかに記載のスーツ用ハンガー。
【考案の詳細な説明】
【技術分野】
【０００１】
本考案は、ハンガー本体とズボンハンガーを分離し、ハンガー本体に２箇所のフック設け、一方のフックにズボンハンガー上部のフックを装着した場合、ズボンを架ける部分がハンガー本体より前方に出るようになり、他方のフックに装着した場合、垂直に下がるようにしたスーツ用ハンガーに関するものである。
【背景技術】
【０００２】
スーツをハンガーに架ける場合、ズボンハンガー部分が上着ハンガー部分より内側にあるため、ズボンを架けた後に上着を掛ける必要がある。
【考案の開示】
【考案が解決しようとする課題】
【０００３】
スーツを脱ぐ場合、通常上着を先に脱ぎ、その後にズボンを脱ぐため、先に脱いだ上着を別の場所に置いておき、ズボンを架けた後に上着を架けている。つまり、人間がスーツを脱ぐ手順とハンガーに架ける手順が逆になっている。
【課題を解決するための手段】
【０００４】
本考案は、ハンガー本体とズボンハンガーを分離し、本体フック部分にズボンハンガーを装着するとき、ズボンを架ける部分が本体より前方に出るようにすること。または、別々に架けることが出来るようにすることにより、問題点を解決している。
【考案の効果】
【０００５】
上述のように、本考案では、ズボンハンガーのズボンを架ける部分がハンガー本体より前方に出ているため、上着をハンガーに架けた後でも、上着に触れずにズボンを架けることが可能となる。
また、スーツを着るときも、上着に触れずに先にズボンを取り外すことが出来るものである。
さらに、ズボンハンガーをハンガー本体から外せばズボンを架けるのが容易であり、その後本体フックに装着することも可能である。
さらに、使用しないとき及び長期間下げておくときは、縦に下げるフックの部分を使用することにより、幅を取らずに収納できるものである。
【考案を実施するための最良の形態】
【０００６】
本体下側のフックに、ズボンハンガーを斜めに装着することにより、ズボンを架ける部分が、上着装着部分より前方に出るため、ズボンを架けることが容易となる。
【実施例】
【０００７】
以下、添付図面に従って一実施例を説明する。１は耐久性のプラスチック等適宜素材にて形成された本体、２は耐久性のプラスチック等適宜素材にて形成されたズボンハンガーである。
ズボンハンガーを本体フック１ａに装着する実施例（図２）
ズボンハンガーフックの上部２ａを本体フック１ａの１ａ垂直部に架け、ズボンハンガーフック２ｂ及び２ｃ部分が本体フック爪ア及び爪ウに乗るように装着する。
この場合本体１ａの突起部分がズボンハンガーフック上部の押さえとなり、奥へ外れるのを防ぐ役割をする。
本体１ａ垂直部分の幅が、ズボンハンガーフック部２ａの幅より広いため、ズボンハンガーは本体に対して斜め(約３０°から約４５°)に装着されることになる。このとき、ハンガー本体の前後幅よりズボンハンガーの上下幅が長いことから、ズボンを掛ける部分がハンガー本体より前方へ出るため、スーツの上着をハンガー本体に架けた後でもズボンを架けることが容易に出来ることとなる。  
ズボンハンガーを本体フック１ｂに縦に装着する例（図３）
ズボンハンガーフックの上部水平部２ａを本体フック１ｂの水平部に乗せ、本体１ａフック部下の爪ア及び爪イ、又は爪イ及び爪ウの間にズボンハンガーの首の部分２ｄを入れることにより、ズボンハンガーが縦に半固定される。
【０００８】
長期間収納するとき、または、使用しないときは本体フック１bに下げて使用する。
【図面の簡単な説明】
【０００９】
【図１】本考案のハンガー本体とズボンハンガーを分離した状態を示す図である。
【図２】本考案のハンガー本体とズボンハンガーを、１aの位置に装着した状態を示す図である。
【図３】本考案のハンガー本体とズボンハンガーを、１bの位置に装着した状態を示す図である。
【符号の説明】
【００１０】
１  ハンガー本体
２  ズボンハンガー
１a  本体フック１a
１b  本体フック１b  
２a  ズボンハンガーフック上部水平部
２b  ズボンハンガー垂直部
２c  ズボンハンガー垂直部
２d  ズボンハンガー首部分
【図１】
0003135064.tif 000003
【図２】
0003135064.tif 000004
【図３】
0003135064.tif 000005
【手続補正書】
【提出日】平成19年4月24日(2007.4.24)
【手続補正１】
【補正対象書類名】実用新案登録請求の範囲
【補正対象項目名】請求項１
【補正方法】変更
【補正の内容】
【請求項１】
ハンガー本体とズボンハンガーを分離し、ハンガー本体に設けた縦棒をクランク状に曲げズボンハンガーを架けるフックとし、ズボンハンガーを図１のハンガー本体フック１ａ垂直部にズボンハンガーの２ａ部分が重なるように架けたとき、ズボンハンガーのズボンを架ける部分が本体より前方に出る方式とズボンハンガー２ａ部分をハンガー本体のフック１ｂ水平部に架け、縦に下げる方式とを選択出来るところを特徴とするスーツ用ハンガー。
【手続補正２】
【補正対象書類名】実用新案登録請求の範囲
【補正対象項目名】請求項３
【補正方法】変更
【補正の内容】
【請求項３】
本体１ａ垂直部分の幅が、ズボンハンガーフック部２ａの幅より広いため、ズボンハンガーは本体に対して斜め前方に装着されることを特徴とする１又は２記載のスーツ用ハンガー。
(57)【要約】      （修正有）【課題】探し物をする時、従来は記憶に頼り探しだす方法しか無かったが、このワイヤレスチャイム受信部をあらかじめ所有物に取り付けておくだけで、送信部の押しボタンを押すと受信部が音を出して場所を教えてくれる。【解決手段】ワイヤレスチャイム受信部１を小型軽量化し、鍵やバッグ等に装着可能にするよう金具等を付ける。送信部からの微弱電波で１５ｍ程度まで探し物に近づくと受信部１から音が鳴り場所を知らせて所有物の発見を容易にしてくれる。【選択図】図１
0003135067.tif 000002
【実用新案登録請求の範囲】
【請求項１】
紛失の防止や捜索を容易にする為、ワイヤレスチャイムの受信部を小型軽量化し、金具等を付け、鍵やハンドバッグ等にキーホルダーやストラップ等で取り付け可能にしたもの。
【請求項２】
前記の装着方法にかわり、リモコン等に内蔵埋め込みを特徴とする請求項１記載のワイヤレスチャイム。
【考案の詳細な説明】
【技術分野】
【０００１】本考案は、鍵、財布、バッグやリモコンなどに取り付けておき、置き場所を忘れてしまった場合にワイヤレスチャイム送信部の押しボタンを押すことにより受信部から音をだして位置を特定する装置に関するものである。
【背景技術】
【０００２】従来は所有物を紛失した場合は、記憶を頼りに探しだす方法しかなかった。
【考案が解決しようとする課題】
【０００３】本装置は物が見あたらなくなった場合に、ワイヤレスチャイムが置いた場所を知らせてくれる装置である。急いでいる時にカギやハンドバッグが見あたらないということはよくあり、高齢者の方や何日も前の記憶だけだと見つけるのが困難な時がある。
【課題を解決するための手段】
【０００４】本装置は今すでにあるワイヤレスチャイム受信部を小型軽量化し、小さな金具等を付ければ、キーホルダーやストラップで鍵やバッグなどの所有物に取り付けることが可能になる。物が見あたらない時はワイヤレスチャイム送信部のボタンを押して音のする所を探せばよい。
【考案を実施するための最良の形態】
【０００５】ワイヤレスチャイム受信部は従来のものより小型軽量化し、鍵やバッグ等に取り付けてキーホルダーのように使用する。送信部からの微弱電波で約１５ｍ以内になると受信部の音が鳴り、場所を特定することができる。受信部に電源スイッチを設け、必要のない時は電源を切ることもできる。送信部は従来のままでかまわないが、壁などに埋め込みせずに持ち運び可能にしておく。
【考案の効果】
【０００６】ワイヤレスチャイムの微弱電波を使用することで人体にもほとんど影響は無く安全である。送信部ひとつに対し複数の受信部を又は複数の送信部に対しひとつの受信部を使用することも可能なので様々な用途や状況に対応できる。受信部は音がでるだけでもかまわないので、スピーカー部分や電池も小さいものですませる事ができ、コストもあまりかからずに製造することができる。本装置を使用することで、失くし物の探索時間を無駄にせずにすみ、ひいては失くし物が減少することで大切な資源も守られる。
【図面の簡単な説明】
【０００７】
【図１】この考案の受信部の正面図である。
【図２】この考案の内蔵型の正面図である。
【符号の説明】
【０００８】１  受信部
２  基盤
３  電源ｏｎ／ｏｆｆ切り替えスイッチ
４  電池
５  スピーカー
６  金具等の取り付け部
７  リモコン
【図１】
0003135067.tif 000003
【図２】
0003135067.tif 000004
【手続補正書】
【提出日】平成19年6月5日(2007.6.5)
【手続補正２】
【補正対象書類名】実用新案登録請求の範囲
【補正対象項目名】全文
【補正方法】変更
【補正の内容】
【実用新案登録請求の範囲】
【請求項１】
紛失の防止や捜索を容易にする為、鍵や財布などにキーホルダー、ストラップ又は糊面で取り付け可能にした小型ワイヤレスチャイム。
【請求項２】
前記の外部取り付け型にかわり、テレビなどのリモコンに内臓埋め込みを特徴とする請求項１記載の小型ワイヤレスチャイム。
【手続補正３】
【補正対象書類名】明細書
【補正対象項目名】０００７
【補正方法】変更
【補正の内容】
【０００７】
【図１】この考案の受信部の背面図である。
【図２】この考案の内蔵型の背面図である。
【手続補正４】
【補正対象書類名】明細書
【補正対象項目名】０００８
【補正方法】変更
【補正の内容】
【０００８】１  受信部２  基盤３  電源ｏｎ／ｏｆｆ切り替えスイッチ４  電池５  スピーカー６  金具等の取り付け部７  リモコン８  カバー
【手続補正５】
【補正対象書類名】図面
【補正対象項目名】全図
【補正方法】変更
【補正の内容】
【図１】
0003135067.tif 000005
【図２】
0003135067.tif 000006
(57)【要約】      （修正有）【課題】抗がん剤の副作用などにより脱毛・無毛の症状がある方に、皮膚にやさしく、強風にも飛ばされず、従来のサイズ元のスベリやゴム、ひもなどによりサイズを調節する帽子よりもきちんと構成された帽子を提供する。【解決手段】既製の帽子の裏地の頭頂部と側面を縫い合わせた縫い代に側面の裏地と同じ大きさの布をもう１枚縫い付ける。縫い付けた布の端を上下１対２に分けた１の部分を縫い合わせ、２の部分はそれぞれを三つ折りに縫い、面ファスナーを大小２組縫い付ける。縫いつけた布の底辺は二つ折りに縫う。これにより長時間かぶっても疲れない帽子を提供でき、強風に飛ばされることの不安も解消できる。【選択図】図１
0003135069.tif 000002
【実用新案登録請求の範囲】
【請求項１】
（１）既製の帽子の裏地の頭頂部と側面を縫い合わせた縫い代に側面の裏地と同じ大きさの布をもう１枚縫い付ける
（２）縫い付けた布の端を上下１対２に分けた１の部分を縫い合わせる
（３）縫い付けた布の端を上下１対２に分けた２の部分をそれぞれ三つ折りに縫って面ファスナーを２組縫い付ける
（４）縫いつけた布の底辺は二つ折りに縫う
上記（１）（２）（３）（４）の構成よりなる帽子
【請求項２】
上記請求項１の（３）の面ファスナーは大小１組ずつで小さいものを上に大きいものを下に縫い付ける
【請求項３】
上記請求項１（１）で縫い付ける布が面ファスナーを重ね合わせることにより表の帽子よりもサイズを小さくし、係止保持できる構成とする
【考案の詳細な説明】
【技術分野】
【０００１】  本考案は、既製の帽子の裏地の頭頂部と側面を縫い合わせた縫い代に側面の裏地と同じ大きさの布をもう１枚縫い付け、縫い付けた布の端を上下１対２に分けた１の部分は縫い合わせ、２の部分はそれぞれ三つ折りに縫って、大小２組の面ファスナーの小さいものを上に、大きいものを下に縫い付け、布の底辺を二つ折りに縫うことにより、強風にも飛ばされず、型崩れしない帽子の提供ができる。サイズ調節が簡単にでき、帽子の種類は問わず、いろいろな素材に使える。
【背景技術】
【０００２】  サイズ調節可能な帽子としては、内側のサイズ元にある全周のスベリを左右延長し、ここに面ファスナーをつけて留める構成で係止保持をする。
【考案の開示】
【考案が解決しようとする課題】
【０００３】  上記の背景技術では、内側のスベリを引っ張りすぎると帽子の形が変わる。サイズの調節をスベリだけで構成すると、帽子全体に無理が来る。また、強風に飛ばされないようにするためには、スベリだけでは不安である。
【課題を解決するための手段】
【０００４】  適切にサイズ調節ができるような構成の帽子に改造する。
既製の帽子の裏地の頭頂部と側面を縫い合わせた縫い代に側面の裏地と同じ大きさの布をもう１枚縫い付ける。縫い付けた布の端を上下１対２に分けた１の部分は縫い合わせ、２の部分はそれぞれ三つ折りに縫って、大小２組の面ファスナーの小さいものを上に、大きいものを下に縫いつけ、面ファスナーを重ね合わせることで、係止保持ができ、強風にも飛ばされにくくなる。
【考案の効果】
【０００５】  本考案は、既製の帽子の裏地の頭頂部と側面を縫い合わせた縫い代に側面の裏地と同じ大きさの布をもう１枚縫い付ける。縫い付けた布の端を上下１対２に分けた１の部分は縫い合わせ、２の部分はそれぞれ三つ折りに縫って、面ファスナーを大小２組縫いつける。面ファスナーを重ね合わせることで、係止保持ができ、強風にも飛ばされない頭になじむかぶりやすい帽子になる。
【考案を実施するための最良の形態】
【０００６】  既製の帽子は、無毛・脱毛症の方には、強風で飛ばされるなどの不安がある。
本考案は、既製の帽子の裏側に側面の裏地と同し大きさの布をもう１枚縫い付け、縫い付けた布の端を上下１対２に分けた１の部分は縫い合わせ、２の部分はそれぞれ三つ折りに縫って、面ファスナーを大小２組縫いつける。これにより、サイズ調節が裏地の側面全体ででき、強風にも飛ばされず、帽子の裏側に縫い付けるのは頭頂部と側面の縫い代の部分なので、係止保持の力も強い。
【実施例】
【０００７】  脱毛・無毛症状の方が外出する際に着用する。着用に不快感もなく、風に飛ばされる不安も取り除かれ、安全でもある。
【産業上の利用可能性】
【０００８】  既製の帽子は、サイズ調節が不十分で、脱毛・無毛症状の方などは、着用に不安を抱くが、本考案の帽子は、サイズ調節ができる部分が大きく、頭を包むように接するので、着用に不安や不快感がなく、係止保持も十分できる構成になる。
抗がん剤の副作用などにより頭髪の無い方、高齢者、頭のサイズが小さい方などに着用に不安や不快感がなく、おしゃれな帽子を提供できる。
【図面の簡単な説明】
【０００９】
【図１】  帽子の裏側の頭頂部と側面を縫い合わせてある縫い代の部分に、裏地の側面と同じ大きさの布を縫い付ける。縫い付けた布の端を上下１対２に分けた１の部分を縫い合わせ、２の部分は、それぞれ３つ折りにして縫う。底辺は２つ折りに縫う。図中の「い」「ろ」「は」「に」の部分に面ファスナーを縫い付ける。
【図２】  横からの断面図
【符号の説明】
【００１０】  い、ろ、は、に…面ファスナーを縫い付ける箇所
【図１】
0003135069.tif 000003
【図２】
0003135069.tif 000004
【手続補正書】
【提出日】平成19年5月28日(2007.5.28)
【手続補正１】
【補正対象書類名】実用新案登録請求の範囲
【補正対象項目名】請求項２
【補正方法】変更
【補正の内容】
【請求項２】
上記請求項１の（３）の面ファスナーは大小１組ずつで小さいものを上に大きいものを下に縫い付けたことを特徴とする請求項１記載の帽子
【手続補正２】
【補正対象書類名】実用新案登録請求の範囲
【補正対象項目名】請求項３
【補正方法】変更
【補正の内容】
【請求項３】
上記請求項１で縫い付ける布が面ファスナーを重ね合わせることにより表の帽子よりもサイズを小さくし、係止保持できる構成とすることを特徴とする請求項１記載の帽子
(57)【要約】【課題】    ロボットで薄肉、長尺のワークをプレス機等に位置決めする時の干渉や、プレス機等で作業時にワークの上下左右等の振動でユガミ、タワミが発生することを解消する。【解決手段】  ワーク保持部全体をエアシリンダ可動部２ｂに取付てプレス機等のワーク位置決めする時にエア圧により位置固定の無理を吸収し、さらにプレス機等で作業時の上下左右等の振動を、ワーク保持部３をスライドシャフト上で移動させ、エアシリンダ５及びエアシリンダ１０のエア圧で吸収する。【選択図】図１
0003135063.tif 000002
【実用新案登録請求の範囲】
【請求項１】
ロボットアームのワーク保持部に、ワークの位置決め時の干渉や、作業時の振動で発生するワークの変形を防ぐためにエアシリンダを採用した保持装置。
【考案の詳細な説明】
【技術分野】
【０００１】  本考案は、作業ロボットのワーク保持機に関する。
【技術背景】
【０００２】  従来は、自動車用ドアサッシ、モール等の薄肉で長尺部品の切断や端面処理等は作業用ロボットではユガミ、タワミ等の変形発生率が高く手作業に頼る場合が多い。
【考案の開示】
【考案が解決しようとする課題】
【０００３】  ワークをエアーシリンダ等で保持後切断や端面処理のためプレス機等に位置決め時、ワークと位置決め部材が干渉することや、プレス機等の作業工程でワークの上下、左右等の振動で、ユガミ、タワミ等の変形が発生する。
【考案が解決するための手段】
【０００４】  この課題を解決するため本考案は、スライド型エアシリンダやスライド機構を併用したエアシリンダを使用して作業工程で薄肉、長尺のワークが振動する時の変形を防ぐ。
【考案の効果】
【０００５】  よって、本考案の変形防止ワーク保持機により、ロボットアームの位置決めが簡単になり、プレス機等の作業工程でワークが振動をしてもユガミ、タワミ等の変形を防止できる。
【考案を実施するための最良の形態】
【０００６】  本考案に係る変形防止ワーク保持機は、図１に示すように、スライド機構付のエアシリンダ固定部２ａをロボットアーム１に取付、エアシリンダ可動部２ｂをエア圧により調整しワークの微妙な位置固定の無理を吸収する。さらにワーク保持部３をエアシリンダ５、エアシリンダ１０のエア圧により円滑に振動を吸収する。
【図面の簡単な説明】
【０００７】
【図１】  本考案に係る変形防止ワーク保持機の正面図である。
【０００８】
【図２】  本考案に係る変形防止ワーク保持機の側面図である。
【符号の説明】
【０００９】１    ロボットアーム先端
２ａ  スライド機構付エアシリンダ固定部
２ｂ  スライド機構付エアシリンダ可動部
３    ワーク保持部
４    エアシリンダ
５    エアシリンダ
６    ワーク保持可動部
７    ワーク保持固定部
８    ワーク
９    スライドシャフト
１０  エアシリンダ
１１  スライドシャフト
【図１】
0003135063.tif 000003
【図２】
0003135063.tif 000004
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
ロボットアームのワーク保持部に、ワーク位置決め時の干渉や作業時の振動により発生するワークの変形を防ぐために、上下方向の振動吸収用エアシリンダとスライド機構、および、左右方向の振動吸収用エアシリンダとスライド機構の同時採用により、３次元方向の振動吸収が出来るワーク保持装置。
(57)【要約】【課題】自転車に乗っている時に、手や腕を日焼けや風雨から護り、夏の強い日差しによる日焼け防止と、冬の寒いときの風や少量の雨から護ること。【解決手段】自転車のハンドルに取り付けた筒状のカバーであって、ハンドルのグリップを握ったとき、手と腕を被覆する大きさを有する自転車用日焼け・風雨防止カバー。【選択図】図１
0003135061.tif 000002
【実用新案登録請求の範囲】
【請求項１】
自転車のハンドルに取り付けた筒状のカバーであって、ハンドルのグリップを握ったとき、手と腕を被覆する大きさを有する自転車用日焼け・風雨防止カバー。
【考案の詳細な説明】
【技術分野】
【０００１】本考案は、自転車のハンドルに取り付ける自転車用日焼け・風雨防止カバーに関するものである。
【背景技術】
【０００２】いままでは、夏の暑い日に手袋や長袖のブラウスを着て、日焼け・風雨の防止をしていた。
【考案の開示】
【考案が解決しようとする課題】
【０００３】自転車に乗る度に手袋をはめたり長袖のブラウスを着なくて済むようにする。
【課題を解決するための手段】
【０００４】本考案の自転車用日焼け・風雨防止カバーは自転車のハンドルに取り付けた筒状のカバーであって、ハンドルのグリップを握ったとき、手と腕を被覆する大きさを有する自転車用日焼け・風雨防止カバーである。
【考案の効果】
【０００５】本考案は、カバーはハンドルに取り付けてあるので、夏の強い日差しから手や腕が日焼けするのを防止できる。また、冬の寒い時、冷たい風や雨から手や腕を護ることができる。
【考案を実施するための最良の形態】
【０００６】図１は、実施例の自転車用日焼け・風雨防止カバーを示す。図において、１はハンドル、２はハンドル１のにぎり部分、３はハンドル１に取り付けた筒状のカバーである。
カバー３は、その中に手を入れてにぎり部分２を握ったとき、手と腕を被覆する大きさを有している。長さは二の腕まである。カバー３の材質は、登山用に用いるウィンドヤッケに使用されているノンコーディング耐水・高透質ファブリック（ニューサイカスアルファ）であるため破れたりする恐れがない。なお、４はサドル、５は前輪、６は後輪、７はペダル、８はスタンドである。
実施例のカバーは、上述のような構成となっているので、自転車に乗ったとき、手や腕の日焼け防止できるし、冷たい風や雨から手や腕を護ることができる。
【図面の簡単な説明】
【０００７】
【図１】実施例の自転車用日焼け・風雨防止カバーを取り付けた自転車の斜視図である。
【符号の説明】
【０００８】１  ハンドル
２  にぎりの部分
３  筒状のカバー
４  サドル
５  前輪
６  後輪
７  ペダル
８  スタンド
【図１】
0003135061.tif 000003
【手続補正書】
【提出日】平成19年5月30日(2007.5.30)
【手続補正１】
【補正対象書類名】明細書
【補正対象項目名】０００６
【補正方法】変更
【補正の内容】
【０００６】図１は、実施例の自転車用日焼け・風雨防止カバーを示す。図において、１はハンドル、２はハンドル１のにぎり部分、３はハンドル１に取り付けた筒状のカバーである。
カバー３は、その中に手を入れてにぎり部分２を握ったとき手と腕を被覆する大きさを有している。長さは二の腕まである。カバー３の材質は登山用に用いるウインドヤッケに使用されているノンコーディング耐水・高透質ファブリック（ニューサイカス（登録商標）アルファ）であるため破れたりする恐れがない。なお、４はサドル、５は前輪、６は後輪、７はペダル、８はスタンドである。
実施例のカバーは、上述のような構成となっているので、自転車に乗ったとき、手や腕の日焼け防止できるし、冷たい風や雨から手や腕を護ることができる。
(57)【要約】【課題】  腹巻や腰当、コルセットなどウエストをカバーするもののずり上がりや横ズレを防止し、日常生活に苦にならない装着感で排尿や排便も可能な常時装着を実現する。【解決手段】  本考案はウエストカバーを足の付け根および大腿で固定できるようにすることで、装着時のずり上がりや横ズレ防止に役立つ。【選択図】図１
0003135070.tif 000002
【実用新案登録請求の範囲】
【請求項１】
足の付け根および大腿で固定するズレ防止ウエストカバー
【考案の詳細な説明】
【技術分野】
【０００１】  本考案は、日常作業によるズレの防止機能を備えた、ウエストカバーに関するものである。
【背景技術】
【０００２】  従来の腹巻や腰当、コルセットなどウエストをカバーするものは日常生活においてずり上がってしまい、腹部および腰部の保護や暖め効果が薄れてしまう形状をしていたため日常作業の中で位置を直す必要があった。
【考案の開示】
【考案が解決しようとする課題】
【０００３】  従来のウエストカバーは就寝時や通勤、仕事、スポーツの際にずれていたが、本考案は足の付け根および大腿で固定することで、ズレが発生せず装着したままトイレも可能な形状により常時装着を可能にしている。
【課題を解決するための手段】
【０００４】  ウエストカバーの両脇下部に足を通すためのベルトを配置する、またはウエストカバーを大腿まで伸ばした形状とし、そこに足を通すことでずり上がりや横ズレの防止となる。
【考案の効果】
【０００５】  上述のように本考案のズレ防止ウエストカバーは、横方向、縦方向ともにズレを防止するため日常生活での腹部および腰部の保護が継続される。また、股間が開いているため、ウエストカバーを装着したまま排尿、排便が可能となる。
【考案を実施するための最良の形態】
【０００６】  ウエストカバーの下部に前身頃から後ろ身頃にかけて、または両脇から、股間を経由するベルトを縫合する。大腿サポートタイプは股間に開きができるようにウエストカバーを縫合する。
【実施例】
【０００７】  以下、添付図面の図１に従って一実施例を説明する。１はウエストカバー、２は足を通すベルト部分で、３のように股間を渡す形状でベルトを縫合し、ここに足を通すことで装着時に足の付け根および大腿で固定される。【０００８】  以下、添付図面の図２に従って一実施例を説明する。１はウエストカバー、４は足を通す部分で、５のようにウエストカバーを大腿まで伸ばし、ここに足を通すことで装着時に足の付け根および大腿で固定される。
【図面の簡単な説明】
【０００９】
【図１】本考案のズレ防止ウエストカバーの図である。
【図２】本考案のズレ防止ウエストカバーの図である。
【符号の説明】
【００１０】１  ウエストカバー
２  前身頃から後ろ身頃にかけての、または両脇から股間を経由するベルト
３  前身頃から後ろ身頃にかけての、または両脇から股間を経由するベルト側面
４  大腿サポートタイプのウエストカバー延長部
５  大腿サポートタイプのウエストカバー延長部側面
【図１】
0003135070.tif 000003
【図２】
0003135070.tif 000004
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
ウエストカバーにおいて、円筒形下部の左右とも前身頃から後ろ身頃にかけて、または両脇から、股間を経由するように足を通せるベルトを縫合、またはウエストカバーの両脇を大腿まで伸ばし、股間を開けたまま足を通せるよう大腿部分を大腿部内側で縫合し、ここに足を通して装着することで足の付け根および大腿で固定され、ずり上がりや横ズレの防止となるズレ防止ウエストカバーである。
(57)【要約】      （修正有）【課題】自動車の駐車スペースに、物品を設置・保管した場合、駐車スペースとしての機能を害してしまう問題を解決する。【解決手段】自動車が自走で乗り上げることのできる構造で、傾斜部１０と水平部２０からなる台１００であり、自動車を台１００の上に駐車させて車体下に物品の設置・保管が可能なスペース３０を確保する。【選択図】図１
0003135056.tif 000002
【実用新案登録請求の範囲】
【請求項１】
自動車が自走で乗り上げることのできる構造であり、自動車をこれの上に駐車させることによって、自動車車体下に物品の設置・保管等に有効なスペースを確保することを可能にする台。
【請求項２】
内部に収納スペースを有する請求項１記載の台。
【請求項３】
分割・組立が可能なユニット化された構造で、ユニットを組み合わせて使用することで種々の自動車の形状に対応でき、かつ１つのユニットは大人が一人で容易に設置できる重量であることを特徴とする請求項１ないし請求項２記載の台。
【考案の詳細な説明】
【技術分野】
【０００１】  本考案は、自動車が自走で乗り上げ可能な台に関する。
【背景技術】
【０００２】  駐車スペースに物品を設置・保管するための従来手法としては、自動車を跨ぐ形で自動車の上部に棚を設けたり、自動車の脇に棚を設置したりする手法がある。
【考案の開示】
【考案が解決しようとする課題】
【０００３】  しかし、前述の手法には隣接する駐車枠との干渉や、強風に対する安定性等に問題がある。また、棚やその支柱等が駐車スペースの中に設置されるので、駐車スペースとしての機能性を損ない、駐車の操作を困難にする場合が多い。
【課題を解決するための手段】
【０００４】  そこで、自動車が自走で乗り上げることのできる構造で、自動車をこの上に駐車させることにより自動車車体下のスペースを広げ、自動車の下に物品の設置・保管等を可能にする台を考案した。（図１）
【考案の効果】
【０００５】  本考案は、自動車車体下のスペース（高さ）を大きくできるため、自動車の駐車スペースにタイヤやその他物品の設置・保管等ができるという利点がある。また、通常の車庫入れ操作で自動車は自然に本考案の台に乗り上げるため自動車が台と衝突することはなく、支柱等も必要としないことから、駐車スペースとしての機能が損なわれることもない。
【考案を実施するための最良の形態】
【０００６】  本考案は、図１に示すように、自動車が自走で乗り上げることのできる傾斜部１０と、それに続く水平部２０とからなる台１００である。この台１００を左右のタイヤ位置に設置することで車体下にスペース３０が確保され、このスペースに物品の設置・保管が可能となる。１０および２０の高さは、自動車の性能と物品の大きさを考慮して適当な高さとする。素材は自動車の過重に耐えうる金属、木材またはプラスチックが望ましく、台の重量は大人が一人で容易に設置できる重量とする。【０００７】  図２は台１００が台１００の内部に収納スペース４０を有することを特徴とする。【０００８】  図３は台１００が組み立て可能なユニット５０、５１、５２に分割されていることを特徴とする。これにより、様々な形状の自動車、様々な広さの駐車スペースに効率よく対応でき、かつ分割によりユニットあたりの重量を押さえ、運搬・設置の作業を容易にする。
【図面の簡単な説明】
【０００９】
【図１】  本考案の台を用いて、自動車車体下に物品の設置・保管スペースを確保した場合の正面および側面の図である。
【図２】  本考案の台で、台の内部に収納スペースを有することを特徴とするものの側面図である。
【図３】  本考案の台で、組み立て可能なユニットに分割されていることを特徴とするものの側面図である。
【符号の説明】
【００１０】  １００  本考案の台
１０    台の傾斜部
２０    台の水平部
３０    台により確保される車体下のスペース
４０    台の内部の収納部
５０、５１、５２  台を構成するユニット
【図１】
0003135056.tif 000003
【図２】
0003135056.tif 000004
【図３】
0003135056.tif 000005
【手続補正書】
【提出日】平成19年5月17日(2007.5.17)
【手続補正１】
【補正対象書類名】実用新案登録請求の範囲
【補正対象項目名】全文
【補正方法】変更
【補正の内容】
【実用新案登録請求の範囲】
【請求項１】
自動車が自走で乗り上げることのできるよう端部に傾斜部を有する構造であり、自動車をこれの上に駐車させることによって、自動車車体下に物品の設置・保管等に有効なスペースを確保することを可能にする台。
【請求項２】
内部に収納スペースを有する請求項１記載の台。
【請求項３】
分割・組立が可能なユニット化された構造で、ユニットを組み合わせて使用することで種々の自動車の形状に対応でき、かつ１つのユニットは大人が一人で容易に設置できる重量であることを特徴とする請求項１ないし請求項２記載の台。